(57)【要約】【目的】表示部に画像を表示しながら表示画像を高解像でプリント用紙に出力し配布することができるとともに、プリント部からのプリントデータ出力をホストコンピュータ側からとプリント部・ディスプレイ部一体装置側の両方から命令することができるプリンタ部・ディスプレイ部一体装置を提供すること。【構成】プリント用紙にプリントデータを出力するプリンタ部と、表示データを表示するディスプレイ部とを一体とした装置において、前記プリントデータと前記表示データが混在したデータの入力を可能とするインターフェイスと、前記混在データを分離して前記プリンタ部と前記ディスプレイ部に振り分けるデータ制御部を含んでプリンタ部・ディスプレイ部一体装置を構成する。【選択図】      図１
2004234168.tif 000002
【特許請求の範囲】
【請求項１】
プリント用紙にプリントデータを出力するプリンタ部と、表示データを表示するディスプレイ部とを一体とした装置において、
前記プリントデータと前記表示データが混在したデータの入力を可能とするインターフェイスと、前記混在データを分離して前記プリンタ部と前記ディスプレイ部に振り分けるデータ制御部とを有することを特徴とするプリンタ部・ディスプレイ部一体装置。
【請求項２】
前記プリント部は、プリントヘッドから吐出されるインクにより画像をプリント用紙に出力するインクジェットプリンタであり、前記ディスプレイ部は、表示データをスクリーンに投影する投影機を含む視認可能な表示装置であることを特徴とする請求項１記載のプリンタ部・ディスプレイ部一体装置。
【請求項３】
前記混在データにおいて、前記表示データは、前記インターフェイスより表示部の画像解像度と同じ程度の解像度でリアルタイムに入力され、前記ディスプレイ部にリアルタイムで表示可能であることを特徴とする請求項１記載のプリンタ部・ディスプレイ部一体装置。
【請求項４】
前記混在データにおいて、前記プリントデータは、前記表示データの画像解像度より高解像で、任意のタイミングに前記インターフェイスへ入力されることを特徴とする請求項１記載のプリンタ部・ディスプレイ部一体装置。
【請求項５】
前記インターフェイスは、ホストコンピュータと双方向通信が可能な双方向通信インターフェイス機能を有し、前記混在データは、前記インターフェイスを介して前記ホストコンピュータ側からの命令か、前記プリンタ部、ディスプレイ部一体装置側からのリクエストによって前記ホストコンピュータより前記インターフェイスへ入力されることを特徴とする請求項１記載のプリンタ部・ディスプレイ部一体装置。
【請求項６】
前記混在データは、前記ホストコンピュータで圧縮されたデータであって、前記インターフェイスより入力され、前記インターフェイスより入力された前記圧縮データは、前記データ制御部で伸張されることを特徴とする請求項１記載のプリンタ部・ディスプレイ部一体装置。
【請求項７】
前記データ制御部は、メモリとハードディスクを含む記憶装置を有し、前記インターフェイスより入力される前記プリントデータを記憶することが可能であることを特徴とする請求項１記載のプリンタ部・ディスプレイ部一体装置。
【請求項８】
前記混在データは、前記プリンタ部、ディスプレイ部一体装置に設けられたスキャナ部より読み込むことで入力可能であり、カードスロット部に前記混在データが記憶されたＰＣカードとメモリカードを含む記憶メディアを接続することによって前記混在データを入力することが可能であることを特徴とする請求項１記載のプリンタ部・ディスプレイ部一体装置。
【発明の詳細な説明】
【０００１】
【発明の属する技術分野】
本発明は、プリンタ部・ディスプレイ部一体装置に関するものである。
【０００２】
【従来の技術】
近年、持ち運び易く且つ低価格な小型のプロジェクタと高性能なモバイルＰＣの普及によって、会議やオフィスで日常行われるミーティングにおいてもＰＣ上で作成した資料をスクリーンに投影しながら進められる形態が多くなっている。このようなＰＣとプロジェクタを利用する会議、ミーティングの形態においては、議事進行中に資料の修正を容易に行うことが可能であるという特徴がある。例えば、ミーティング中に資料の内容を変更するといった場合でも、プロジェクタに接続されたＰＣのアプリケーション上で修正したドキュメント或は画像データをスクリーンに投影することが可能である。
【０００３】
【発明が解決しようとする課題】
ＰＣとプロジェクタを使用した形態の会議やミーティングにおいても、参加者へ配布する資料は、予め印刷したものを配布するため、会議中に加えられた修正点は、参加者が手書きで修正点を資料に加える必要があり、参加者個人間に修正度合いの違いが生じるという問題がある。
【０００４】
又、修正を加えた資料を会議終了後に配布する場合においては、修正前後の資料が重複することになる。このため、修正を加えた資料を即時に配布できるように、ＰＣと資料を表示するプロジェクタと資料を出力するプリンタとに接続したシステムが用いられている。
【０００５】
しかしながら、モバイルＰＣ、小型プロジェクタに加えてプリンタも用いるとなると、モバイルＰＣ、小型プロジェクトの持ち運びに適しているという利点を奪ってしまうことになる。
【０００６】
本発明は上記問題に鑑みてなされたもので、その目的とする処は、表示部に画像を表示しながら表示画像を高解像でプリント用紙に出力し配布することができるとともに、プリント部からのプリントデータ出力をホストコンピュータ側からとプリント部・ディスプレイ部一体装置側の両方から命令することができるプリンタ部・ディスプレイ部一体装置を提供することにある。
【０００７】
【課題を解決するための手段】
上記の目的を達成するため、本発明の装置は以下のような構成を備える。即ち、プリント用紙にプリントデータを出力するプリンタ部と、表示データを表示するディスプレイ部とを一体として装置において、前記プリントデータと前記表示データが混在したデータを入力可能とする可能なインターフェイスと、前記混在データを分離して前記プリンタ部と前記ディスプレイ部に振り分けるデータ制御部とを有する。
【０００８】
【発明の実施の形態】
以下に本発明の実施の形態を添付図面に基づいて説明する。
【０００９】
図１は本発明の実施の形態に係るプリンタ部・ディスプレイ部一体装置の構成を説明する図である。
【００１０】
プリンタ部・ディスプレイ部一体装置１は、プリント用紙にプリントデータを出力するプリンタ部５と、表示データを表示するディスプレイ部６とで構成されている。ここで、プリンタ部は、複数のノズルを備えたプリントヘッドから吐出されるインクにより画像をプリント用紙に出力するインクジェットプリンタであり、ディスプレイ部は、表示データをスクリーンに投影する投影機を含む視認可能な表示装置である。そして、一体装置１とホストコンピュータ２を接続するインターフェイス３と、プリンタ部、ディスプレイ部にホストコンピュータより入力されたデータを振り分けるデータ制御部４とを有している。
【００１１】
図２（ａ）は本発明の一体装置１の外観を示す図である。
【００１２】
本実施の形態に係る一体装置１において、インターフェイス２３はホストコンピュータと接続し、表示データ及びプリント、表示混在データを入力する。入力された表示データをスクリーン等に投影するのが投影機２１であり、プリントデータをプリント用紙に出力するのがプリンタ部２２である。又、プリント用紙は排紙トレイ２５内に格納される。
【００１３】
図２（ｂ）はプリント、表示混在データの入力手段として、スキャナ部２４、ＰＣカード、メモリカードスロット２６を設けた場合の外観図である。
【００１４】
混在データは、スキャナ部２４から読み込みや、カードスロットに画像データを記憶したＰＣカードやメモリカードを接続することにより、ホストコンピュータと接続しない場合でもデータの入力が可能となる。又、ＰＣカードやメモリカードに記憶されたデータの情報やホストコンピュータから入力されデータ制御部に記憶させたプリントデータのプレビューも、液晶モニタ２８で確認することが可能である。
【００１５】
次に、本実施の形態に係る混在データの振り分けについて本一体装置の機能ブロック図である図３に従って説明する。
【００１６】
ホストコンピュータ２のアプリケーション２１で作成したドキュメントや画像データをディスプレイ部６で表示する場合、ホストコンピュータ２と接続したインターフェイス３にはホストコンピュータのＡＳＩＣ２２で圧縮された表示データ１０がリアルタイムに入力される。この場合、表示データ１０はＲＧＢ信号であり圧縮されたものである。表示データ１０は、インターフェイス３よりデータ制御部４に入力され、データ制御部４のＡＳＩＣ４１で元のＲＧＢ信号に伸張され、ディスプレイ部６で表示される。
【００１７】
次に、ホストコンピュータ２で作成したドキュメントや画像データをプリンタ部５でプリント用紙に出力する場合について説明する。
【００１８】
ホストコンピュータ２よりプリントデータ入力の命令か、或は一体装置１のデータ制御部４からのリクエストによって、インターフェイス３にはプリント、表示混在データ１１が入力される。ここでプリントデータはプリント用のＣＭＹデータである。従って、混在データ１１は、プリント用のＣＭＹデータと表示用のＲＧＢデータが混在していることになる。
【００１９】
インターフェイス３よりデータ制御部４に入力された混在データ１１は、表示データ１０とプリントデータ１２に振り分けられる。ここで、プリントデータ１２はＲＡＭ４２或はハードディスク４３に保存され、出力の命令を受けることによりプリント部６より出力される。
【００２０】
本実施の形態では、表示データ１０は、リアルタイムにホストコンピュータ２より入力されるが、プリントデータ１２は任意に入力される。従って、プリントデータの入力は、ホストコンピュータ２からの命令か、或は一体装置１のデータ制御部４からのリクエストによって、ホストコンピュータ２で混在データ１１が形成し、インターフェイス３より入力される。従って、本実施の形態ではインターフェイス３には双方向通信が可能であり、又、高速データ通信が可能である１００Ｂａｓｅ−Ｔ等のＥｔｈｅｒｎｅｔを用いる。
【００２１】
図４は本実施の形態に係る混在データ１１を表示データ、プリントデータに振り分け、ディスプレイ部６での画像の表示及びプリント部５での出力までの方法を説明するフローチャートである。
【００２２】
先ず、ステップＳ１で、ホストコンピュータ２で作成されたドキュメント、画像等のデータがインターフェイス３に入力され、ステップＳ２でデータ制御部４へ入力される。次に、ステップＳ３で入力されたデータが表示データのみか、プリント、表示混在データかを判定する。入力されたデータが表示データのみの場合はステップＳ８に進み、ディスプレイ部６でドキュメント、画像データを表示する。
【００２３】
ステップＳ３で入力されたデータが混在データであると判定された場合はステップＳ４に進み、データ制御部４のＡＳＩＣ４１によって混在データをプリントデータ、表示データに振り分ける。次に、ステップＳ５に進み、振り分けられたプリントデータをデータ制御部４のＲＡＭ４２或はハードディスク４３に記憶する。その後、ステップＳ６でプリント用紙に出力する場合は、プリンタ部５においてドキュメント、画像データを出力し、ステップＳ８で表示データをディプレイ部６で表示する。又、ステップＳ６でプリントしない場合はステップＳ８に進み、ディスプレイ部６でドキュメント、画像データを表示する。
【００２４】
本実施の形態では、ホストコンピュータ３で作成したドキュメント、画像データ変更の有無に拘らず、表示データはリアルタイムにディスプレイ部６で表示される。一方、プリントデータは任意のタイミングでデータ制御部４のＲＡＭ４２或はハードディスク４３に記憶し、更にプリントの命令によってプリント部５より出力される。従って、ホストコンピュータ３で作成したドキュメント、画像のデータが変更された場合にプリントデータ、即ちプリント、表示混在データを入力し、プリントデータをＲＡＭ４２或はハードディスク４３に記憶させる必要がある。
【００２５】
図５はディスプレイ部６で表示中のデータがホストコンピュータ３において変更された場合、混在データ１１の入力をホストコンピュータ２に要求し、入力された表示データ、プリントデータに振り分け、ディスプレイ部６での画像の表示及びプリント部５での出力までの方法を説明するフローチャートである。
【００２６】
先ず、ステップＳ１１にディスプレイ部６で表示中の表示データ１１が入力される。次に、ステップＳ１２で入力されたデータが変化したかをモニタし、データが変化した場合はステップＳ１３でデータが入力されてから所定の時間が経過したかを判定する。ここで、所定時間は、ホストコンピュータ３でのデータ修正に要する時間を見積もった時間とする。
【００２７】
次に、ステップＳ１４で入力されるデータの変化が続いているかを判定する。この２つのステップでホストコンピュータ３におけるドキュメント、画像データの変更が終了したことを確認する。次に、ステップＳ１５でホストコンピュータにプリント、表示混在データの入力を要求し、ステップＳ１６インターフェイス３よりデータ制御部４に混在データ１１を入力する。ステップＳ１７でデータ制御部４はＡＳＩＣ４１で混在データ１１をプリントデータ１２と表示データ１１に振り分け、ステップＳ１８でプリントデータ１２をＲＡＭ４２に記憶する。
【００２８】
次に、ステップＳ１９でプリント用紙に出力するかを決定し、出力する場合はステップＳ２０に進み、プリンタ部５においてドキュメント、画像データを出力し、更にステップＳ２１で表示データをディプレイ部６で表示する。又、ステップＳ１９でプリントしない場合はステップＳ２１に進み、ディスプレイ部６でドキュメント、画像データを表示する。
【００２９】
本発明のプリンタ部・ディスプレイ部一体装置とモバイルＰＣとを接続することによって、会議やミーティングにおいて、ＰＣのアプリケーションで作成した資料をスクリーンに投影しながら、その資料の加工、修正が可能となり、又、加工、修正した資料をその場でプリントして会議参加者に配布することが可能となる。
【００３０】
本実施の形態においては、ホストコンピュータとプリンタ部・ディスプレイ部一体装置とで双方向通信が可能であり、画像データといった大容量のデータも高速に転送することが可能な１０／１００ＢＡＳＥ−Ｔをインターフェイスとして用いている。このＥｔｈｅｒｎｅｔ規格のインターフェイスは、多くのＰＣに標準装備されているため、本実施の形態のプリント部・ディスプレイ部一体装置とＰＣとの接続に新たなインターフェイスを設ける必要がなく、汎用性に非常に優れるといえる。
【００３１】
又、データ制御部に備えた記憶装置を、大容量メモリ或はハードディスク等の大容量記憶装置にすることによって、ホストコンピュータで作成したドキュメント、画像のプリントデータを全て記憶させることが可能となる。この場合、図２（ｂ）で説明した液晶モニタを搭載することによって、プリントデータのプレビューが可能になるとともに、ディスプレイ部によってスクリーンに投影されているドキュメント、画像とは異なるデータをプリント部で出力することが可能となる。
【００３２】
【発明の効果】
以上説明したように、本発明によれば、以下に示すような効果がある。
（１）ホストコンピュータと双方向通信が可能であるため、インターフェイスが１つである。
（２））  表示部に画像を表示しながら、表示画像を高解像でプリント用紙に出力し配布することができる。
（３）プリント部からのプリントデータ出力をホストコンピュータ側からとプリント部、ディスプレイ部一体装置側の両方から命令することが可能である。
【図面の簡単な説明】
【図１】本実施の形態に係るプリンタ部・ディスプレイ部一体装置の構成を説明するブロック図である。
【図２】本実施の形態に係るプリンタ部・ディスプレイ部一体装置の基本構成、ホストコンピュータ以外の入力装置を設けた構成を説明する外観図である。
【図３】本実施の形態に係るプリンタ部・ディスプレイ部一体装置の構成と（ａ）表示データが入力された場合、（ｂ）プリント、表示混在データが入力された場合を説明するブロック図である。
【図４】本実施の形態に係る混在データ１１を表示データ、プリントデータに振り分け、ディスプレイ部６での画像の表示及びプリント部５での出力までの方法を説明するフローチャートである。
【図５】本実施の形態に係る混在データ１１を表示データ、プリントデータに振り分け、ディスプレイ部６での画像の表示及びプリント部５での出力までの方法を説明するフローチャートである。
【符号の説明】
１      プリンタ・ディスプレイ部一体装置
２      ホストコンピュータ
３      インターフェイス
４      データ制御部
５      プリンタ部
６      ディスプレイ部
２１    投影機
２２    プリンタ部
２３    インターフェイス
２４    スキャナ部
２５    排紙トレイ
２６    メモリカードスロット
２８    液晶モニタ
【図１】
2004234168.tif 000003
【図２】
2004234168.tif 000004
【図３】
2004234168.tif 000005
【図４】
2004234168.tif 000006
【図５】
2004234168.tif 000007